(57)【要約】【課題】多層集合住宅において水廻り器具の配置に関する設計自由度を向上させることができるサイフォン排水システムを提供する。【解決手段】サイフォン排水システム１０では、多層集合住宅１２のＮ階の住居１２Ａ、１２Ｃから伸びるＮサイフォン排水管２６Ａ、２６Ｃが第１排水立て管１４Ａに合流している。また、多層集合住宅１２のＮ−１階の住居１２Ｂ、１２Ｄから伸びるＮ−１サイフォン排水管２６Ｂ、２６Ｄが第１排水立て管１４Ａと別位置に設けられた第２排水立て管１４Ｂに合流している。【選択図】図１
2013231330.tif 000002
【特許請求の範囲】
【請求項１】
多層集合住宅のＮ階の住居に配設され、サイフォン力を作用させて排水を促進するＮサイフォン排水管と、
前記Ｎサイフォン排水管が合流する第１排水立て管と、
前記多層集合住宅のＮ−１階の住居に配設され、サイフォン力を作用させて排水を促進するＮ−１サイフォン排水管と、
前記第１排水立て管と別位置に設けられ、前記Ｎ−１排水管が合流する第２排水立て管と、
を有するサイフォン排水システム。
【請求項２】
前記Ｎサイフォン排水管が、前記多層集合住宅のＮ−１階の住居より下方において前記第１排水立て管と合流すると共に、前記Ｎ−１サイフォン排水管が、前記多層集合住宅のＮ−２階の住居より下方において前記第２排水立て管に合流する請求項１記載のサイフォン排水システム。
【請求項３】
前記第１排水立て管と前記第２排水立て管とが前記多層集合住宅の同一階の住居を介して反対側に配置されている請求項１または請求項２に記載のサイフォン排水システム。
【発明の詳細な説明】
【技術分野】
【０００１】
本発明は、多層集合住宅に配設されるサイフォン排水システムに関する。
【背景技術】
【０００２】
近年、従来の勾配排水システムに代わって、サイフォン排水システムが提案されている。このサイフォン排水システムは、特許文献１に記載されているように、サイフォン排水管の垂下部をなす流出垂直管にて発生するサイフォン力（負圧力）を利用して、水廻り器具からの排水効率を向上させるシステムである。
【０００３】
このようなサイフォン排水システムでは、従来の勾配排水システムと比較して、床スラブ上に配接され、水廻り器具と排水立て管とを水平方向につなぐ水平管について勾配を必要としないため、床下寸法を大きくせずとも水平管を長くすることができる。一方、従来の勾配排水システムでは勾配が必要であり、所定の床下寸法内に収めようとすると、水平管は長くても水回り器具から２〜３ｍ程度となり、水平管を長くしようとすると、床下寸法を大きくしなければならなかった。
【０００４】
このように、サイフォン排水システムでは水平管を長くすることができるため、排水立て管を水回り器具の近傍に設置する必要がなくなり、設計の自由度を高くすることができるというメリットや、多層集合住宅の場合には、排水立て管を共用部に設置することによりメンテナンスや更新を容易にすることができるというメリットを有している。
【先行技術文献】
【特許文献】
【０００５】
【特許文献１】特開２００７−３１５０３６号公報
【発明の概要】
【発明が解決しようとする課題】
【０００６】
しかしながら上述のサイフォンシステムにおいて、さらに水廻り器具の配置に関する設計自由度を高めるに当たっては、１本あたりのサイフォン排水管の流出垂直管の長さを大きく取り、発生する負圧力を増大させることで水平管長さを伸ばすことが可能であるが、１フロア分の階高さ以上の流出垂直管の長さを取ろうとすると、上階の流出垂直管と下階の流出垂直管とが干渉するので配置が難しく、水廻り器具の配置に関する設計自由度の向上には限界がある。
【０００７】
本発明は、上記事実を考慮し、多層集合住宅において水廻り器具の配置に関する設計自由度を向上させることができるサイフォン排水システムを提供することを課題とする。
【課題を解決するための手段】
【０００８】
本発明の請求項１に記載のサイフォン排水システムは、多層集合住宅のＮ階の住居に配設され、サイフォン力を作用させて排水を促進するＮサイフォン排水管と、前記Ｎサイフォン排水管が合流する第１排水立て管と、前記多層集合住宅のＮ−１階の住居に配設され、サイフォン力を作用させて排水を促進するＮ−１サイフォン排水管と、前記第１排水立て管と別位置に設けられ、前記Ｎ−１排水管が合流する第２排水立て管と、を有する。
【０００９】
請求項１に記載のサイフォン排水システムでは、多層集合住宅のＮ階の住居に配設されたＮサイフォン排水管が合流して第１排水立て管に連結されている。また、多層集合住宅のＮ−１階の住居に配設されたＮ−１サイフォン排水管が合流して、前記第１排水立て管と別位置に設けられた第２排水立て管に連結されている。即ち、上下隣あう住居のＮサイフォン排水とＮ−１排水管とが異なる排水立て管に連結されている。このため、Ｎサイフォン排水管とＮ−１サイフォン排水管の各流出垂直管の長さを１フロア分の階高さ以上に設定しても、Ｎ階の流出垂直管とＮ−１階の流出垂直管とが干渉することがない。この結果、Ｎサイフォン排水管の流出垂直管の長さとＮ−１サイフォン排水管の流出垂直管の長さを１フロア分の階高さより大きく取れる。従って、１本あたりのＮサイフォン排水管の流出垂直管とＮ−１サイフォン排水管の流出垂直管において発生する負圧力を増すことができる。この負圧力の増大に伴い、単位時間当たりの排水処理流量を増大させることが可能となり、排水性能を向上させることができる。このため、水廻り器具から接続されるサイフォン排水管の水平管の管路長を長く取ることが可能となり、以て多層集合住宅での水廻り器具の配置に関する設計自由度を向上させることができる。
【００１０】
本発明の請求項２は請求項１に記載のサイフォン排水システムにおいて、前記Ｎサイフォン排水管が、前記多層集合住宅のＮ−１階の住居より下方において前記第１排水立て管と合流すると共に、前記Ｎ−１サイフォン排水管が、前記多層集合住宅のＮ−２階の住居より下方において前記第２排水立て管に合流する。
【００１１】
請求項２に記載のサイフォン排水システムでは、多層集合住宅のＮ階の住居から伸びるＮサイフォン排水管が、多層集合住宅のＮ−１階の住居より下方において第１排水立て管と合流すると共に、Ｎ−１階の住居から伸びるＮ−１サイフォン排水管が、多層集合住宅のＮ−２下階の住居より下方において第２排水立て管に合流する。このため、Ｎサイフォン排水管の流出垂直管の長さとＮ−１サイフォン排水管の流出垂直管の長さが１フロア分の階高さ以上になると共に、Ｎサイフォン排水管の流出垂直管とＮ−１サイフォン排水管の流出垂直管とが干渉することもない。従って、１本あたりのＮサイフォン排水管の流出垂直管とＮ−１サイフォン排水管の流出垂直管において発生する負圧力を増すことができる。この負圧力の増大に伴い、単位時間当たりの排水処理流量を増大させることが可能となり、排水性能を向上させることができる。このため、水廻り器具から接続されるサイフォン排水管の水平管の管路長を長く取ることが可能となり、以て多層集合住宅での水廻り器具の配置に関する設計自由度を向上させることができる。
【００１２】
本発明の請求項３は請求項１または請求項２に記載のサイフォン排水システムにおいて、前記第１排水立て管と前記第２排水立て管とが前記多層集合住宅の同一階の住居を介して反対側に配置されている。
【００１３】
請求項３に記載のサイフォン排水システムでは、第１排水立て管と第２排水立て管とが多層集合住宅の同一階の住居を介して反対側に配置されている。このため、第１排水立て管に合流するＮサイフォン排水管の流出垂直管と、第２排水立て管に合流するＮ−１排水管の流出垂直管の各長さを１フロア分の階高さ以上に設定しても、Ｎ階の流出垂直管とＮ−１階の流出垂直管とが干渉することがない。この結果、Ｎサイフォン排水管の流出垂直管の長さとＮ−１サイフォン排水管の流出垂直管の長さを１フロア分の階高さより大きく取れる。従って、１本あたりのＮサイフォン排水管の流出垂直管とＮ−１サイフォン排水管の流出垂直管において発生する負圧力を増すことができる。この負圧力の増大に伴い、単位時間当たりの排水処理流量を増大させることが可能となり、排水性能を向上させることができる。このため、水廻り器具から接続されるサイフォン排水管の水平管の管路長を長く取ることが可能となり、以て多層集合住宅での水廻り器具の配置に関する設計自由度を向上させることができる。
【発明の効果】
【００１４】
請求項１に記載の本発明のサイフォン排水システムは、上記構成としたため、多層集合住宅で水廻り器具の配置に関する設計自由度を向上させることができる。
【００１５】
請求項２に記載の本発明のサイフォン排水システムは、上記構成としたため、多層集合住宅で水廻り器具の配置に関する設計自由度を向上させることができる。
【００１６】
請求項３に記載の本発明のサイフォン排水システムは、上記構成としたため、多層集合住宅で水廻り器具の配置に関する設計自由度を向上させることができる。
【図面の簡単な説明】
【００１７】
【図１】本発明の第１実施形態に係るサイフォン排水システムの構成を示す概略側面図である。
【図２】本発明の第１実施形態に係るサイフォン排水システムが適用された多層集合住宅を示す概略側面図である。
【図３】本発明の第１実施形態に係るサイフォン排水システムの貯留槽の内部、及びサイフォン排水管との接続部を示す斜視図である。
【図４】本発明の第２実施形態に係るサイフォン排水システムの構成を示す概略側面図である。
【図５】本発明の第３実施形態に係るサイフォン排水システムの構成を示す概略平面図である。
【図６】本発明の第４実施形態に係るサイフォン排水システムの構成を示す概略平面図である。
【発明を実施するための形態】
【００１８】
（第１実施形態）
以下、本発明の第１実施形態を図１〜図３に従って説明する。
なお、図１には、本実施形態に係るサイフォン排水システムの構成が概略側面図にて示されており、図２には、本実施形態に係るサイフォン排水システムが適用された多層集合住宅を示す概略側面図が示されている。
【００１９】
図２は、本実施形態に係るサイフォン排水システム１０であり、サイフォン力を利用して水廻り器具からの排水を効率よく排出するようになっている。また、本実施形態のサイフォン排水システム１０は、多層集合住宅、一例として１０階（Ｆ１〜Ｆ１０）で構成された多層集合住宅１２に用いられている。
【００２０】
サイフォン排水システム１０は、排水を下方へ流す複数の排水立て管１４を備えており、各排水立て管１４はそれぞれ多層集合住宅１２の別の場所に設けられている。また、これらの排水立て管１４は、多層集合住宅１２の各階の各住居、一例として各住居（住戸ともいう）１２Ａ、１２Ｂ、１２Ｃ、１２Ｄ、１２Ｅ、１２Ｆとは壁で区画された配管スペース１５内に上下方向（縦方向）に収容されており、多層集合住宅１２の各階の床スラブ１６を貫いている。なお、多層集合住宅１２の１階（Ｆ１）部分は、従来の排水システムとなっている。
【００２１】
図１に示すように、多層集合住宅１２の各住居１２Ａ、１２Ｂ、１２Ｃ、１２Ｄ、１２Ｅ、１２Ｆには、それぞれ複数の水回り器具１７が設けられており、これらの水回り器具１７には、水回り器具１７から排出される排水を流す排水導入管１８の一端がそれぞれ接続されている。また、排水導入管１８の他端は、貯留槽２０と接続されており、排水導入管１８は、貯留槽２０側が低くなるように勾配をもって配設されている。
【００２２】
図３には、本実施形態に係るサイフォン排水システムの貯留槽の内部、及びサイフォン排水管との接続部が斜視図にて示されている。
【００２３】
図３に示すように、貯留槽２０は、水廻り器具からの排水を一時貯留するためのものであり、貯留槽２０の内部には、貯留空間２２が構成されている。また、貯留空間２２は、仕切部材２４によって、一例として２つの個別貯留部２２Ａ、２２Ｂに区画されている。なお、各水廻り器具からの複数の排水導入管１８Ａ、１８Ｂは、個別貯留部２２Ａ、２２Ｂへ各々連結されている。
【００２４】
貯留槽２０の個別貯留部２２Ａ、２２Ｂには、接続部２１Ａ、２１Ｂが設けられており、接続部２１Ａ、２１Ｂにはサイフォン排水管２６が接続されている。
【００２５】
図１に示すように、多層集合住宅１２における上下隣あう住居１２Ａ、１２ＢのＮ階の住居１２Ａに配設されたサイフォン排水管をＮサイフォン排水管２６Ａとし、Ｎ−１階の住居１２Ｂに配設されたサイフォン排水管をＮ−１サイフォン排水管２６Ｂとする。また、Ｎ階の住居１２Ａに隣接する住居１２Ｃに配設されたサイフォン排水管をＮサイフォン排水管２６Ｃとし、Ｎ−１階の住居１２Ｂに隣接する住居１２Ｄに配設されたサイフォン排水管をＮ−１サイフォン排水管２６Ｄとする。
【００２６】
こられのＮサイフォン排水管２６Ａ、２６ＣとＮ−１サイフォン排水管２６Ｂ、２６Ｄとは、それぞれ床スラブ１６に沿って配設される無勾配部となっている水平管（横引き管ともいう）２８と、水平管２８と連通する流出垂直管（竪管ともいう）３０とを備えている。また、水平管２８は、貯留槽２０と連通されており、床スラブ１６上で水平方向に無勾配で配設されている。また、水平管２８と連通する流出垂直管３０は、排水立て管１４に沿って、上下方向（鉛直方向）に配設されている。流出垂直管３０は、合流部継手３２Ａに達しており、合流部継手３２は、流出垂直管３０からの排水を排水立て管１４へ合流させるようになっている。
【００２７】
なお、ここでの無勾配とは、必ずしも水平方向である必要はなく、床スラブや天井に沿って多少の段差、勾配のあるものを含む。
【００２８】
また、サイフォン排水管２６の水平管２８及び流出垂直管３０は、合流部継手３２までは他の排水管と途中で合流することなく、連続した排水管で構成されており、排水立て管１４へ排水を導くようになっている。また、サイフォン排水管２６の水平管２８及び流出垂直管３０は、排水が満流で流れるように管の内径が設定されており、水平管２６内の排水には、サイフォン水頭のエネルギーにより、排水方向へ向かうサイフォン力が作用される。
【００２９】
図１に示すように、貯留槽２０には、さらに、通気管３４が接続されており、通気管３４は、合流部継手３２に達している。なお、図３では通気管３４を図示していない。
【００３０】
ここで、多層集合住宅１２のＮ階における住居１２Ａ、１２Ｃから伸びるＮサイフォン排水管２６Ａ、２６Ｃが合流する排水立て管を第１排水立て管１４Ａとする。また、多層集合住宅１２のＮ−１階における隣接する住居１２Ｂ、１２Ｄから伸びるＮ−１サイフォン排水管２６Ｂ、２６Ｄが合流する排水立て管を第２排水立て管１４Ｂとする。なお、第１排水立て管１４Ａと第２排水立て管１４Ｂとは異なる排水立て管であり、この実施形態では、異なる場所に設けられている。一例として、第１排水立て管１４Ａと第２排水立て管１４Ｂとは住居１２Ａや住居１２Ｃを介して反対側に配置されている。そして、Ｎサイフォン排水管２６Ａ、２６Ｃが第１排水立て管１４Ａに合流する合流部継手３２Ａは、Ｎ階の住居１２Ａ、１２Ｃに対して下階となるＮ−１階の住居１２Ｂ、１２Ｄの床スラブ１６の下方に配置されている。また、Ｎ−１サイフォン排水管２６Ｂ、２６Ｄが第２排水立て管１４Ｂに合流する合流部継手３２Ｂは、Ｎ−１階の住居１２Ｂ、１２Ｄのさらに１階下となるＮ−２階の住居（下階に隣接する住居）１２Ｅ、１２Ｆの床スラブ１６の下方に配置されている。
【００３１】
このため、多層集合住宅１２のＮ階の住居１２Ａ、１２ＣのＮサイフォン排水管２６Ａ、２６Ｃの各流出垂直管３０の長さＨｏと、Ｎ−１階の住居１２Ｂ、１２ＤのＮ−１サイフォン排水管２６Ｂ、２６Ｄの各流出垂直管３０の長さＨｏを１フロア分の階高さＨＦ以上にしても、Ｎサイフォン排水管２６Ａ、２６Ｃの流出垂直管３０と、Ｎ−１サイフォン排水管２６Ｂ、２６Ｄの流出垂直管３０とが干渉することがない。この結果、多層集合住宅１２のＮ階の住居１２Ａ、１２ＣのＮサイフォン排水管２６Ａ、２６Ｃの各流出垂直管３０の長さＨｏと、Ｎ−１階の住居１２Ｂ、１２ＤのＮ−１サイフォン排水管２６Ｂ、２６Ｄの各流出垂直管３０の長さＨｏをそれぞれ１フロア分の階高さＨＦより大きく取れるようになっている。
【００３２】
（作用及び効果）
次に、本実施形態の作用及び効果について説明する。
本実施形態のサイフォン排水システム１０は、多層集合住宅１２のＮ階の住居１２Ａ、１２Ｃから伸びるＮサイフォン排水管２６Ａ、２６Ｃが合流する第１排水立て管１４Ａと、多層集合住宅１２のＮ−１階の住居１２Ｂ、１２Ｄから伸びるＮ−１サイフォン排水管２６Ｂ、２６Ｄが合流する第２排水立て管１４Ｂと、を有している。即ち、偶数階（２Ｆ、４Ｆ、６Ｆ、８Ｆ、１０Ｆ）と奇数階（３Ｆ、５Ｆ、７Ｆ、９Ｆ）とで使用する排水立て管を変えている。
【００３３】
従って、合流部継手３２ＡをＮ階の住居１２Ａ、１２Ｃに対して下階となるＮ−１階の住居１２Ｂ、１２Ｄの床スラブ１６の下方に配置すると共に、合流部継手３２Ｂを、Ｎ−１階における隣接する住居１２Ｂ、１２Ｄのさらに１階下となるＮ−２階の住居１２Ｅ、１２Ｆの床スラブ１６の下方に配置しても、図１に示すように、Ｎサイフォン排水管２６Ａ、２６Ｃの流出垂直管３０と、Ｎ−１サイフォン排水管２６Ｂ、２６Ｄの流出垂直管３０とが干渉することがない。このため、多層集合住宅１２のＮ階の住居１２Ａ、１２ＣのＮサイフォン排水管２６Ａ、２６Ｃの各流出垂直管３０の長さＨｏと、Ｎ−１階の住居１２Ｂ、１２ＤのＮ−１サイフォン排水管２６Ｂ、２６Ｄの各流出垂直管３０の長さＨｏをそれぞれ１フロア分の階高さＨＦより大きく取れる。この結果、本実施形態では、１本あたりのＮサイフォン排水管２６Ａ、２６Ｃの流出垂直管３０とＮ−１サイフォン排水管２６Ｂ、２６Ｄの流出垂直管３０において発生する負圧力を増すことができる。この１本あたりのＮサイフォン排水管２６Ａ、２６Ｃの流出垂直管３０とＮ−１サイフォン排水管２６Ｂ、２６Ｄの流出垂直管３０において発生する負圧力の増大に伴い、単位時間当たりの排水処理流量を増大させることが可能となり、排水性能を向上させることができる。このため、水廻り器具１７から接続される各水平管２８の管路長を長く取ることが可能となり、以て多層集合住宅１２での水廻り器具１７の配置に関する設計自由度を向上させることができる。
【００３４】
また、貯留槽２０を備えた本実施形態のサイフォン排水システム１０では、多量の排水が行われた際に水廻り器具への排水の溢れを防止することが可能であり、サイフォン排水管２６の本数を増やさなくても排水性能を向上させることができる。
【００３５】
また、上記実施形態では通気管３４が用いられたが、通気手段としてこれに限られるものでなく、例えば貯留槽に通気弁などの弁体を用いてもよい。
【００３６】
（第２実施形態）
以下、本発明の第２実施形態を図４に従って説明する。
図４には、本実施形態に係るサイフォン排水システムの構成が概略側面図にて示されている。
なお、第１実施形態と同一部材に付いては、同一符号を付してその説明を省略する。
【００３７】
図４に示すように、本実施形態のサイフォン排水システム１０では、第１実施形態の貯留槽２０を備えず、Ｎサイフォン排水管２６Ｂ、２６Ｄ及びＮ−１サイフォン排水管２６Ｂ、２６Ｄが水回り器具１７の排水管に直接接続されている。なお、本実施形態においても、第１実施形態と同様な作用及び効果が得られる。
【００３８】
（その他の実施形態）
以上に於いては、本発明を特定の実施形態について詳細に説明したが、本発明はかかる実施形態に限定されるものではなく、本発明の範囲内にて他の種々の実施形態が可能であることは当業者にとって明らかである。例えば、図１及び図４では、第１排水立て管１４Ａと第２排水立て管１４Ｂとを住居１２Ａや住居１２Ｃを介して反対側に配置したが、これに代えて、第１排水立て管１４Ａと第２排水立て管１４Ｂとを住居１２Ａや住居１２Ｃを介さない接近した場所や、同じ配管スペース１５に配置してもよい。
【００３９】
また、上記各実施形態では、サイフォン排水管の水平管が長くとれるようになる。このため、図５に示す第３実施形態のように、Ｎ階の隣接する住居１２Ａ、１２Ｃ、１２Ｇ、１２Ｈ、１２Ｊのうち、一戸おきの住居１２Ａ、１２Ｇ、１２Ｊに配設されたＮサイフォン排水管２６Ａ、２６Ｇ、２６Ｊを住居１２Ａ、１２Ｃ、１２Ｇ、１２Ｈ、１２Ｊの一方側（例えば、共用廊下側）に沿って配置された複数の排水立て管１４Ａ、１４Ｂ、１４Ｃ、１４Ｄ、１４Ｅにおける１本おきの第１排水立て管１４Ａ、１４Ｃ、１４Ｅに連結し、一戸おきの住居１２Ｃ、１２Ｈに配設されたＮサイフォン排水管２６Ｃ、２６Ｈを住居１２Ａ、１２Ｃ、１２Ｇ、１２Ｈ、１２Ｊの他方側（例えば、バルコニー側）に沿って配置された複数の排水立て管１４Ｆ、１４Ｇ、１４Ｈ、１４Ｊ、１４Ｋ、１４Ｌにおける１本おきの第１排水立て管１４Ｈ、１４Ｋに連結した構成とすることも可能である。なお、本実施形態では、排水立て管１４Ｂ、１４Ｄ、１４Ｇ、１４Ｊ、１４ＬがＮ−１サイフォン排水管を連結する第２排水立て管となっている。
【００４０】
また、図６に示す第４実施形態のように、Ｎ階の隣接する住居１２Ａ、１２Ｃ、１２Ｇ、１２Ｈ、１２Ｊ、１２Ｋのうち、隣接する住居１２Ａ、１２ＣのＮサイフォン排水管２６Ａ、２６Ｃを、住居１２Ａ、１２Ｃ、１２Ｇ、１２Ｈ、１２Ｊ、１２Ｋの一方側（例えば、共用廊下側）に沿って配置された複数の排水立て管１４Ａ、１４Ｂ、１４Ｃ、１４Ｄ、１４Ｅのうちの１本の第１排水立て管１４Ａに連結し、隣接する住居１２Ｇ、１２ＨのＮサイフォン排水管２６Ｇ、２６Ｈを１本の第１排水立て管１４Ｃに連結し、隣接する住居１２Ｊ、１２ＫのＮサイフォン排水管２６Ｊ、２６Ｋを１本の第１排水立て管１４Ｅに連結した構成とすることも可能である。なお、本実施形態では、排水立て管１４Ｂ、１４ＤがＮ−１サイフォン排水管を連結する第２排水立て管となっている。
【００４１】
また、Ｎ階の３つ以上の住居のＮサイフォン排水管を第１排水立て管に合流させ、Ｎ−１階の３つ以上の住居のＮ−１サイフォン排水管を第２排水立て管に合流させた構成としてもよい。
【符号の説明】
【００４２】
１０    サイフォン排水システム
１２    多層集合住宅
１４    排水立て管
１４Ａ    第１排水立て管
１４Ｂ    第２排水立て管
１５    配管スペース
１７    水回り器具
１８    排水導入管
２０    貯留槽
２６    サイフォン排水管
２６Ａ    Ｎサイフォン排水管
２６Ｂ    Ｎ−１サイフォン排水管
２６Ｃ    Ｎサイフォン排水管
２６Ｄ    Ｎ−１サイフォン排水管
２８    サイフォン排水管の水平管
３０    サイフォン排水管の流出垂直管
３２    合流部継手
１１４    排水立て管
１２６    サイフォン排水管
【図１】
2013231330.tif 000003
【図２】
2013231330.tif 000004
【図３】
2013231330.tif 000005
【図４】
2013231330.tif 000006
【図５】
2013231330.tif 000007
【図６】
2013231330.tif 000008